(57)【要約】 【課題】  レンズシートの取付作業における作業性の向上を図ると共にレンズシートの形状の自由度の向上による機能性の向上を図る。【解決手段】  ランプハウジング２と該ランプハウジングに取り付けられたカバー３とによって構成され内部空間が灯室５として形成された灯具外筐４と、灯室に配置された光源１０と、取付部９ａ、１１、１１を有し灯室に配置された内側部材７と、取付部に取り付けられる被取付部１５、１５、１６を有し光源とカバーの間においてカバーと離隔した状態で配置された透明なレンズシート１２とを設け、取付部と被取付部の一方を突部として設け他方に突部が挿入される被挿入孔を形成し、取付部に被取付部が取り付けられた状態において、被取付部を取付部とランプハウジングによって挟み込んでレンズシートを内側部材に固定した。【選択図】        図２
2011060446.tif 000002
【特許請求の範囲】
【請求項１】
少なくとも一方に開口を有するランプハウジングと該ランプハウジングに取り付けられ前記開口を閉塞するカバーとによって構成され内部空間が灯室として形成された灯具外筐と、
前記灯室に配置された光源と、
複数の取付部を有し少なくとも一部が前記灯室に配置された内側部材と、
前記複数の取付部にそれぞれ取り付けられる複数の被取付部を有すると共に前記光源と前記カバーの間において前記カバーと離隔した状態で配置された透明なレンズシートとを備え、
前記取付部の少なくとも一つと前記被取付部の少なくとも一つの一方は突部として設けられ他方には前記突部が挿入される被挿入孔が形成され、
前記複数の取付部に前記複数の被取付部がそれぞれ取り付けられた状態において、前記少なくとも一つの被取付部をそれぞれ前記少なくとも一つの取付部と前記ランプハウジングによって挟み込んで前記レンズシートを前記内側部材に固定した
ことを特徴とする車輌用灯具。
【請求項２】
前記内側部材を、前記光源から出射された光を反射するリフレクターと、前記灯室に配置された構造物の一部を遮蔽するエクステンションとを一体に形成することにより構成し、
前記エクステンションに前記複数の取付部を設けた
ことを特徴とする請求項１に記載の車輌用灯具。
【請求項３】
前記取付部を前記内側部材の上端部と下端部に少なくとも一つずつ設け、
前記被取付部を前記レンズシートの上端部と下端部に少なくとも一つずつ設け、
前記内側部材の上端部に設けられた前記取付部を前記突部とし、
前記レンズシートの上端部に設けられた前記被取付部に前記突部が挿入される前記被挿入孔を形成し、
前記内側部材の下端部に設けられた前記取付部に前記レンズシートの下端部に設けられた前記被取付部を接着によって取り付けた
ことを特徴とする請求項１又は請求項２に記載の車輌用灯具。
【請求項４】
前記取付部に前記被取付部の少なくとも一部と面接触する平面部を形成し、
前記被取付部を前記取付部の平面部と前記ランプハウジングによって挟み込んだ
ことを特徴とする請求項１、請求項２又は請求項３に記載の車輌用灯具。
【発明の詳細な説明】
【技術分野】
【０００１】
本発明は車輌用灯具に関する。詳しくは、少なくとも一部が灯室に配置された内側部材に透明なレンズシートを取り付けてレンズシートの取付作業における作業性の向上等を図る技術分野に関する。
【背景技術】
【０００２】
車輌用灯具には、ランプハウジングと該ランプハウジングの開口を閉塞するカバーとによって構成された灯具外筐の内部に、光源と該光源から出射された光を反射して所定の方向へ導くリフレクター等の内側部材とを備えたものがある。
【０００３】
このような車輌用灯具には、カバーの内側に透明なレンズシートを配置して装飾性の向上等を図るようにしたものがある（例えば、特許文献１及び特許文献２参照）。
【０００４】
特許文献１に記載された車輌用灯具にあっては、金型を用いて成形される所謂インサート成形により、カバーの内面側にレンズシートがカバーと一体に形成されている。
【０００５】
特許文献２に記載された車輌用灯具にあっては、カバーの内面にレンズシートが接着や粘着等により貼り付けられている。
【０００６】
【特許文献１】特開２００４−２１６６４３号公報
【特許文献２】実用新案公開平５−７５９０５号公報
【発明の開示】
【発明が解決しようとする課題】
【０００７】
ところが、特許文献１に記載された車輌用灯具にあっては、カバーの内面側にレンズシートが一体に形成されているため、レンズシートが平面的な形状に限定されてしまい、機能性の向上を図る上で限界があった。
【０００８】
また、特許文献２に記載された車輌用灯具にあっては、レンズシートをカバーの内面に接着や粘着等により貼り付ける必要があり、カバーに対するレンズシートの取付作業が面倒であり作業時間も長いと言う問題がある。
【０００９】
さらに、特許文献２に記載された車輌用灯具にあっては、レンズシートがカバーの内面に貼り付けられるため、特許文献１に記載された車輌用灯具と同様に、レンズシートが平面的な形状に限定されてしまい、機能性の向上を図る上で限界があった。
【００１０】
そこで、本発明車輌用灯具は、レンズシートの取付作業における作業性の向上を図ると共にレンズシートの形状の自由度の向上による機能性の向上を図ることを課題とする。
【課題を解決するための手段】
【００１１】
車輌用灯具は、上記した課題を解決するために、少なくとも一方に開口を有するランプハウジングと該ランプハウジングに取り付けられ前記開口を閉塞するカバーとによって構成され内部空間が灯室として形成された灯具外筐と、前記灯室に配置された光源と、複数の取付部を有し少なくとも一部が前記灯室に配置された内側部材と、前記複数の取付部にそれぞれ取り付けられる複数の被取付部を有すると共に前記光源と前記カバーの間において前記カバーと離隔した状態で配置された透明なレンズシートとを備え、前記取付部の少なくとも一つと前記被取付部の少なくとも一つの一方は突部として設けられ他方には前記突部が挿入される被挿入孔が形成され、前記複数の取付部に前記複数の被取付部がそれぞれ取り付けられた状態において、前記少なくとも一つの被取付部をそれぞれ前記少なくとも一つの取付部と前記ランプハウジングによって挟み込んで前記レンズシートを前記内側部材に固定したものである。
【００１２】
従って、車輌用灯具にあっては、レンズシートの被取付部が内側部材の取付部に取り付けられるときに被挿入孔に突部が挿入される。
【発明の効果】
【００１３】
本発明車輌用灯具は、少なくとも一方に開口を有するランプハウジングと該ランプハウジングに取り付けられ前記開口を閉塞するカバーとによって構成され内部空間が灯室として形成された灯具外筐と、前記灯室に配置された光源と、複数の取付部を有し少なくとも一部が前記灯室に配置された内側部材と、前記複数の取付部にそれぞれ取り付けられる複数の被取付部を有すると共に前記光源と前記カバーの間において前記カバーと離隔した状態で配置された透明なレンズシートとを備え、前記取付部の少なくとも一つと前記被取付部の少なくとも一つの一方は突部として設けられ他方には前記突部が挿入される被挿入孔が形成され、前記複数の取付部に前記複数の被取付部がそれぞれ取り付けられた状態において、前記少なくとも一つの被取付部をそれぞれ前記少なくとも一つの取付部と前記ランプハウジングによって挟み込んで前記レンズシートを前記内側部材に固定したことを特徴とする。
【００１４】
従って、レンズシートに立体的な形状を形成することが可能となり、機能性の向上及び装飾性の向上を図ることができる。
【００１５】
また、レンズシートの内側部材に対する取付作業が容易であり、作業性の向上及び作業時間の短縮化を図ることができる。
【００１６】
請求項２に記載した発明にあっては、前記内側部材を、前記光源から出射された光を反射するリフレクターと、前記灯室に配置された構造物の一部を遮蔽するエクステンションとを一体に形成することにより構成し、前記エクステンションに前記複数の取付部を設けている。
【００１７】
従って、取付部が光源から出射される光に干渉することがなくリフレクターの良好な機能を確保することができる。
【００１８】
請求項３に記載した発明にあっては、前記取付部を前記内側部材の上端部と下端部に少なくとも一つずつ設け、前記被取付部を前記レンズシートの上端部と下端部に少なくとも一つずつ設け、前記内側部材の上端部に設けられた前記取付部を前記突部とし、前記レンズシートの上端部に設けられた前記被取付部に前記突部が挿入される前記被挿入孔を形成し、前記内側部材の下端部に設けられた前記取付部に前記レンズシートの下端部に設けられた前記被取付部を接着によって取り付けている。
【００１９】
従って、被取付部の被挿入孔に取付部を挿入した状態で内側部材の下端部に設けられた取付部にレンズシートの下端部に設けられた被取付部を取り付けることができ、レンズシートの内側部材に対する取付作業を一層容易に行うことができる。
【００２０】
請求項４に記載した発明にあっては、前記取付部に前記被取付部の少なくとも一部と面接触する平面部を形成し、前記被取付部を前記取付部の平面部と前記ランプハウジングによって挟み込んでいる。
【００２１】
従って、レンズシートの内側部材に対する固定状態の安定化を図ることができる。
【発明を実施するための最良の形態】
【００２２】
以下に、本発明車輌用灯具を実施するための最良の形態について添付図面を参照して説明する。
【００２３】
以下に示した最良の形態は、本発明車輌用灯具を車輌の後端部に取り付けられる標識灯に適用したものである。尚、本発明車輌用灯具の適用範囲は車輌の後端部に取り付けられる標識灯に限られることはなく、本発明は、車輌用前照灯や車輌の後端部以外の部分に取り付けられる標識灯等の車輌に用いられる各種の車輌用灯具に広く適用することができる。
【００２４】
車輌用灯具１は、図１及び図２に示すように、後方に開口されたランプハウジング２と該ランプハウジング２の開口を閉塞するカバー３とを有している。ランプハウジング２とカバー３によって灯具外筐４が構成され、該灯具外筐４の内部が灯室５として形成されている。
【００２５】
ランプハウジング２の前端部には前後に貫通された配置孔２ａが形成されている。
【００２６】
ランプハウジング２は前後方向を向くパッキン６を保持し、該パッキン６を挟んで図示しない車体に固定されている。パッキン６には前後方向に貫通された貫通孔６ａが形成されている。ランプハウジング２は図示しないスタッドピンによって車体に固定されている。
【００２７】
カバー３は環状に形成された外周部３ａと該外周部３ａの内側に設けられたベース部３ｂとから成る。カバー３は外周部３ａがランプハウジング２に取り付けられている。
【００２８】
灯室５には内側部材７が配置されている。内側部材７はリフレクター８とエクステンション９とが一体に形成されて成る。
【００２９】
リフレクター８は後縁に開口部８ａを有する椀状に形成され、前端部に前後に貫通された取付孔８ｂを有している。リフレクター８の内面は反射面８ｃとして形成されている。リフレクター８の取付孔８ｂには光源１０が取り付けられている。光源１０から出射された光は一部を除いて反射面８ｃで反射され、カバー３を透過されて外部へ照射される。
【００３０】
エクステンション９はリフレクター８の後端から外方へ張り出されるようにしてフランジ状に形成されている。エクステンション９の上端部には前方へ突出された取付部１１、１１が左右に離隔して設けられている。取付部１１、１１の上面はそれぞれ平面部１１ａ、１１ａとして形成されている。
【００３１】
内側部材７には開口部８ａを閉塞するように透明なレンズシート１２が取り付けられている。レンズシート１２は、例えば、スモーク印刷によって所定の色に着色されたレンズ部１３と該レンズ部１３の上縁に連続し左右に長い接合面部１４と該接合面部１４の上縁から下方へ突出された被取付部１５、１５とレンズ部１３の下縁から下方へ突出された被取付部１６とが、例えば、ポリカーボネートによって一体に形成されて成る。
【００３２】
レンズ部１３には前後に突出された図示しない立体形状が形成されている。
【００３３】
被取付部１５、１５は左右に離隔して設けられ、それぞれ前後に貫通された被挿入孔１５ａ、１５ａを有している。
【００３４】
レンズシート１２は被取付部１５、１５がそれぞれ取付部１１、１１に取り付けられ、被取付部１６がエクステンション９の下端部の左右方向における中央部に取り付けられ、内側部材７に取り付けられる。従って、エクステンション９の下端部の左右方向における中央部は被取付部１６が取り付けられる取付部９ａとして機能する。
【００３５】
被取付部１５、１５の取付部１１、１１に対する取付は、図３に示すように、被取付部１５、１５の被挿入孔１５ａ、１５ａにそれぞれ取付部１１、１１が後方から挿入されることにより行われる。尚、被取付部１５、１５の取付部１１、１１に対する取付は、例えば、被取付部１５、１５を突状に形成し取付部１１、１１に被挿入孔を形成し、被取付部１５、１５を取付部１１、１１の被挿入孔に挿入することにより行うようにしてもよい。
【００３６】
被取付部１６の取付部９ａに対する取付は、例えば、両面テープや接着剤等を用いた接着によって行われる（図４参照）。尚、被取付部１６の取付部９ａに対する取付については、例えば、被取付部１６に被挿入孔を形成し取付部９ａを突部として設け、この突部を被挿入孔に挿入することにより行うようにしてもよい。
【００３７】
上記のようにレンズシート１２が内側部材７に取り付けられることにより、図２に示すように、開口部８ａの全体がレンズ部１３によって後方側から覆われ、接合面部１４がエクステンション９の上端部に面接触された状態とされる。
【００３８】
レンズシート１２が上記のように内側部材７に取り付けられた状態においては、図３に示すように、取付部１１、１１の平面部１１ａ、１１ａにそれぞれレンズシート１２の被取付部１５、１５の各一部が面接触されており、この面接触された部分がそれぞれランプハウジング２の後端部と取付部１１、１１の平面部１１ａ、１１ａとによって上下方向において挟み込まれる。
【００３９】
レンズシート１２は、その後方に位置するカバー３と離隔した状態で配置される（図２参照）。
【００４０】
以上に記載した通り、車輌用灯具１にあっては、レンズシート１２がカバー３の内面ではなく内側部材７に取り付けられているため、レンズシート１２に立体的な形状を形成することが可能となり、機能性の向上及び装飾性の向上を図ることができる。
【００４１】
また、レンズシート１２をカバー３の内面に貼り付ける必要がなく、被取付部１５、１５の被挿入孔１５ａ、１５ａにそれぞれ取付部１１、１１が挿入され、被取付部１５、１５が取付部１１、１１とランプハウジング２によって挟み込まれることにより、レンズシート１２が内側部材７に固定される。
【００４２】
従って、レンズシート１２の内側部材７に対する取付作業が容易であり、作業性の向上及び作業時間の短縮化を図ることができる。
【００４３】
さらに、車輌用灯具１にあっては、内側部材７の後端部にエクステンション９を設け該エクステンション９に取付部１１、１１を設けているため、取付部１１、１１が光源１０から出射される光に干渉することがなくリフレクター８の良好な機能を確保することができる。
【００４４】
さらにまた、車輌用灯具１にあっては、内側部材７がリフレクター８とエクステンション９と取付部１１、１１が一体に形成されて構成されているため、部品点数の削減を図ることができる。
【００４５】
また、内側部材７の上端部に設けられた取付部１１、１１を突部とし、レンズシート１２の上端部に設けられた被取付部１５、１５に突部が挿入される被挿入孔１５ａ、１５ａを形成し、内側部材７の下端部に設けられた取付部９ａにレンズシート１２の下端部に設けられた被取付部１６を接着によって取り付けている。
【００４６】
従って、被取付部１５、１５の被挿入孔１５ａ、１５ａにそれぞれ取付部１１、１１を挿入した状態で取付部９ａに被取付部１６を取り付けることができ、レンズシート１２の内側部材７に対する取付作業を一層容易に行うことができる。
【００４７】
尚、上記には、内側部材７のエクステンション９に取付部９ａ、１１、１１を設けた例を示したが、これらの取付部をエクステンション９に代えてリフレクター８に設けることも可能である。
【００４８】
また、上記には、内側部材７の例としてリフレクター８とエクステンション９が一体に形成されたものを示したが、内側部材はリフレクターのみの一つの部品によって構成されていてもよく、また、エクステンション９のみの一つの部品によって構成されていてもよい。このように内側部材７がリフレクター又はエクステンションのみの一つの部品として構成されている場合にも、レンズシートをリフレクターに取り付けてもよく、また、エクステンションに取り付けてもよい。
【００４９】
加えて、レンズシート１２は被取付部１５、１５がそれぞれ取付部１１、１１の平面部１１ａ、１１ａとランプハウジング２によって挟み込まれることにより内側部材７に固定されるため、レンズシート１２の内側部材７に対する固定状態の安定化を図ることができる。
【００５０】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００５１】
【図１】図２乃至図４と共に本発明車輌用灯具の最良の形態を示すものであり、本図は、車輌用灯具の概略分解斜視図である。
【図２】車輌用灯具の断面図である。
【図３】レンズシートの上側の被取付部が内側部材に取り付けられた状態を示す拡大断面図である。
【図４】レンズシートの下側の被取付部が内側部材に取り付けられた状態を示す拡大断面図である。
【符号の説明】
【００５２】
１…車輌用灯具、２…ランプハウジング、３…カバー、４…灯具外筐、５…灯室、７…内側部材、８…リフレクター、９…エクステンション、９ａ…取付部、１０…光源、１１…取付部、１１ａ…平面部、１２…レンズシート、１５…被取付部、１５ａ…被挿入孔、１６…被取付部
【図１】
2011060446.tif 000003
【図２】
2011060446.tif 000004
【図３】
2011060446.tif 000005
【図４】
2011060446.tif 000006